(57)【要約】【課題】十分な通気性を有するとともに、什器の前面板としての強度を有する什器用通気パネルを提供する。【解決手段】複数個の通気穴を一定間隔で配列した肉厚の前面パネルと、前記通気穴よりも小径の多数の通気穴を配列した肉薄の後面パネルと、両パネルを一体化するためのパネル固定具から構成されたことを特徴とする什器用通気パネル。【選択図】　図５
2004113453.tif 000002
【特許請求の範囲】
【請求項１】
複数個の通気穴を一定間隔で配列した肉厚の前面パネルと、前記通気穴よりも小径の多数の通気穴を配列した肉薄の後面パネルと、両パネルを一体化するためのパネル固定具とから構成されたことを特徴とする什器用通気パネル。
【請求項２】
後面パネルに設けられた通気穴の形成領域が、少なくとも前面パネルに設けられた通気穴の穿設領域よりも大きく形成されている請求項１に記載の什器用通気パネル。
【請求項３】
前面パネルと後面パネルの形状が略同一の形状をしている請求項２に記載の什器用通気パネル。
【請求項４】
パネル固定具は、少なくとも前面パネルの一辺と後面パネルの一辺とを支持する支持端を有しており、パネル固定具の前記支持端に両パネルの一辺が当接した状態で、後面パネルの通気穴形成領域が、前面パネルの通気穴穿設領域を後方から覆うようになっている請求項２又は３に記載の什器用通気パネル。
【請求項５】
パネル固定具は、少なくともその一辺が、前・後面パネルを一体的に挟持するための溝を有している請求項４に記載の什器用通気パネル。
【請求項６】
前記溝の溝幅が、前・後面パネルの肉厚よりわずかに小幅に形成され、その弾力を利用して両パネルを挟持できるようになっている請求項５に記載の什器用通気パネル。
【請求項７】
前記後面パネルは、周辺部にパネル補強用の補強片が設けられている請求項１ないし６のいずれかに記載の什器用通気パネル。
【発明の詳細な説明】
【０００１】
【発明の属する技術分野】
本発明は、什器内の収納部を外気に開放するために用いられる什器用通気パネルに関する。
【０００２】
【従来の技術】
たとえば、収納キャビネットや食器保管庫等の什器に根菜類を長期保存するために、引出し等の前面板に換気のための通気穴を設けたものがある（例えば、特許文献１参照）。
【特許文献１】
実願昭６３−１６７４１４号（実開平０２−８６３４３号）のマイクロフィルム（第３頁、図２）
【０００３】
【発明が解決しようとしている課題】
この例のように、換気のために什器の引出し等の肉厚の前面板に比較的大きな通気穴等を設けるような場合、換気は十分達成されるものの、これら通気穴より昆虫類が自由に出入りし、収納した根菜類を食べる恐れがあり、衛生上問題があった。
そこで、虫類が入らないように通気穴を小径として多数配することも考えられるが、所定の強度を保つために前面板が肉厚となっているため、この前面板に小径の通気穴を設けても、通気抵抗が高く通気性が極端に悪くなる恐れがある。
更に前面板を肉薄にして小径の通気穴を設けることも考えられるが、前面板を肉薄にすると前面板が湾曲したり破損する恐れがあり、実用的ではない。
発明は、前記の問題に留意し、十分な通気性を有するとともに、什器の前面板としての強度を有する什器用通気パネルを提供する。
【０００４】
【課題を解決するための手段】
上記の目的を達成するために、本発明の什器用通気パネルは、複数個の通気穴を一定間隔で配列した肉厚の前面パネルと、前記通気穴よりも小径の多数の通気穴を配列した肉薄の後面パネルと、両パネルを一体化するためのパネル固定具とから構成されたことを特徴としている。
この特徴によれば、肉厚の前面パネルには大きな通気穴、更に肉薄の後面パネルには小さな通気穴が多数穿設され、これらが一体化されてパネルを形成しているため、通気抵抗を極めて小さくできるだけでなく、十分なパネルの強度と虫等の侵入の防止が同時に達成できることになる。
【０００５】
本発明の什器用通気パネルは、後面パネルに設けられた通気穴の形成領域が、少なくとも前面パネルに設けられた通気穴の穿設領域よりも大きく形成することが好ましい。
このようにすれば、後面パネルと前面パネルとを一体化する際に多少づれることがあっても、両通気穴は常に連通されることになり、パネルの製作が容易となる。
【０００６】
本発明の什器用通気パネルは、前面パネルと後面パネルの形状が略同一の形状をしていることが好ましい。
このようにすれば、両パネルとパネル固定具によって一体化するのが容易なばかりでなく、両通気穴を連通されるための位置決め等の面倒な作業も必要としない。
【０００７】
本発明の什器用通気パネルは、パネル固定具は、少なくとも前面パネルの一辺と後面パネルの一辺とを支持する支持端を有しており、パネル固定具の前記支持端に両パネルの一辺が当接した状態で、後面パネルの通気穴形成領域が、前面パネルの通気穴穿設領域を後方から覆うようになっていることが好ましい。
このようにすれば、前・後面パネルの位置決めが容易となり、パネルの製作に手間がかからない。
【０００８】
本発明の什器用通気パネルは、パネル固定具は、少なくともその一辺が、前・後面パネルを一体的に挟持するための溝を有していることが好ましい。
このようにすれば、前・後に両パネルがずれる恐れもなく、堅牢に両パネルを一体的に挟持固定できる。
【０００９】
本発明の什器用通気パネルは、前記溝の溝幅が、前・後面パネルの肉厚よりわずかに小幅に形成され、その弾力を利用して両パネルを挟持できるようになっていることが好ましい。
このようにすれば、両パネルのずれを効果的に防止でき、堅牢に両パネルを固定できるばかりでなく、固定具とパネルとの密着性が向上するので、両者の隙間から虫等が侵入するのを防止できる。
【００１０】
本発明の什器用通気パネルは、前記後面パネルは、周辺部にパネル補強用の補強片が設けられていることが好ましい。
このようにすれば、肉薄の後面パネルが湾曲するのを防止できるばかりか、パネル固定具へ後面パネルを固定する際において、薄い後面パネルの取扱いが容易となる。
【００１１】
【発明の実施の形態】
以下、本発明について実施の形態を説明する。
図１には、収納キャビネット１５が示され、このような収納キャビネット１５の一部には、一般に下方部に生鮮食物（野菜類）２１等を収納する収納ケース１６が形成され、収納ケース１６の内部と外部とが効果的に空気の流通ができるような構造のものが好ましい。
【００１２】
ここで示される収納ケース１６は、前面板１７とガイドレール１９等のフレームとで、収納キャビネット１５に対して、引出し可能となっており、収納ケース１６内部は、前面板１７に穿設された通気穴を介して空気の通過が許容されている。
【００１３】
本実施例の前面板１７は、後述するが、図５に示されるように前面パネル１と後面パネル３とを貼り合わせたような一体パネルの構造になっており、
図２（ａ）（ｂ）には、本発明に係る肉厚の前面パネル１が示されている。該前パネル１には、比較的大きな通気穴２が一定の穿設領域に縦，横，斜め方向に一定の間隔で板抜き加工等により形成されており、これら通気穴２は四角形，円形，多角形いずれでもよく、また、この前面パネル１はアルミ，スチール，ステンレス，プラスチック等の比較的肉厚かつ強度を有するプレートである。
【００１４】
図３（ａ）（ｂ）には、本発明に係る肉薄の後面パネル３が示され、この後面パネル３には、前面パネル１の通気穴２より小径の通気穴４が図５に示されるように前記前面パネル１の穿設領域より大きな形成領域に設けられており、この後面パネル３はアルミ，スチール，ステンレス，プラスチック等の比較的薄いプレートであり、そこには虫等の侵入を防止できる程度の微小な径のパンチングが施されている。
【００１５】
図４は、前面パネル１と後面パネル３とをパネル固定具５で一体化する製造工程が示され、特に、パネル固定具５を構成する下枠７，右枠９，前面パネル１，更に、後面パネル３との結合部分が一部示されている。
この図に示されるように、下枠７は、背面を支持する補強部１２と前面側に立上がった縁部２２を有し、これら補強部１２と縁部２２との間が溝１１となっており、更に、補強部１２には、雌ねじ部２３が一体に形成されている。また、右枠９は比較的強度を有するフレームであり、固定用の金具１０を挿入できる挿入穴１３が形成されている。
【００１６】
この枠７の溝１１に上方から後面パネル３を挿入し、下枠７の溝１１の底面に当接させる。ここで後面パネル３の位置決めが完了し、その後、前面パネル１を前記溝１１の底面まで押し込む。この溝１１の溝幅は、前面パネル１と後面パネル３の厚みの合計幅よりわずかに小幅に形成されており、下枠７の縁部２２が比較的弾力をもって傾動可能となっているため、両パネルは補強部１２と縁部２２とで一体的に挟持され、強固な位置決めが達成される。その後、側枠である右枠９を下枠７に当て、ボルトである取付用の金具１０を挿入穴１３から挿入し、雌ねじ部２３に螺入することにより、フレームが完成する。このようにして、下枠７，上枠６，左枠８，右枠９から成る固定具５で、パネルを一体化した構造が図５（ａ）（ｂ）に示され、この実施例では、前面パネル１と後面パネル３とは組立ての簡便さを向上するため、ほぼ同形状になっている。
特に、前面パネル１と後面パネル３との接合面断面図が明らかなように、肉厚の前面パネルには大きな通気穴、更に肉薄の後面パネルには小さな通気穴が多数穿設され、これらが一体化されてパネルを形成しているため、通気抵抗を極めて小さくできるだけでなく、十分なパネルの強度と虫等の侵入の防止が同時に達成できることになる。
【００１７】
図６（ａ）（ｂ）は、本発明に係る後面パネル３の別の実施の形態を示すものであり、この後面パネル３’は前面又は大きな形成領域に穴Ａが設けられているメッシュ（網）であり、このパネル３’の周辺部にパネル補強用の補強片１４が設けられている。　　これは、図４のように、前面パネル１と後面パネル３’とを一体化する際、メッシュのみでは強度が不足し、ねじれたり、波を打つことがあるため、予め補強片１４で形状を安定させるためである。この補強片１４は、カシメ等の方法で後面パネル３’に一体に固定されている。なお、後面パネル３に補強片１４を固定した場合は、後面パネル３’の肉厚が厚くなるのでそれに合わせて前記溝１１の溝幅を広くする必要がある。
【００１８】
以上、本発明の実施の状態を図面により説明してきたが、具体的な構成はこれら実施の形態に限られるものではなく、本発明の要旨を逸脱しない範囲における変更や追加があっても本発明に含まれる。
【００１９】
【発明の効果】
本発明は、以下の効果を奏する。
【００２０】
（ａ）請求項１の発明によれば、肉厚の前面パネルには大きな通気穴、更に肉薄の後面パネルには小さな通気穴が多数穿設され、これらが一体化されてパネルを形成しているため、通気抵抗を極めて小さくできるだけでなく、十分なパネルの強度と虫等の侵入の防止が同時に達成できることになる。
【００２１】
（ｂ）請求項２の発明によれば、後面パネルに設けられた通気穴の形成領域が、前面パネルに設けられた通気穴の穿設領域よりも大きく形成されているため、後面パネルと前面パネルとを一体化する際に多少ずれることがあっても、両通気穴は常に連通されることになり、パネルの製作が容易となる。
【００２２】
（ｃ）請求項３の発明によれば、前面パネルと後面パネルの形状が略同一の形状をしているため、両パネルをパネル固定具によって一体化するのが容易なばかりでなく、両通気穴を連通させるための位置決め等の面倒な作業も必要としない。
【００２３】
（ｄ）請求項４の発明によれば、パネル固定具は、少なくとも前面パネルの一辺と後面パネルの一辺とを支持する支持端を有しており、パネル固定具の前記支持端に両パネルの一辺が当接した状態で、後面パネルの通気穴形成領域が前面パネルの通気穴穿設領域を後方から覆うように形成するため、前・後面パネルの位置決めが容易となり、パネルの製作に手間がかからない。
【００２４】
（ｅ）請求項５の発明によれば、パネル固定具は、少なくともその一辺が、前・後パネルを一体的に挟持するための溝を有しているため、前・後に両パネルがずれる恐れもなく、堅牢に両パネルを一体的に挟持固定できる。
【００２５】
（ｆ）請求項６の発明によれば、溝の溝幅が前・後面パネルの肉厚よりわずかに小幅に形成され、その弾力を利用して両パネルを挟持できるようになっているため、両パネルのずれを効果的に防止でき、堅牢に両パネルを固定できるばかりでなく、固定具とパネルとの密着性が向上するので、両者の隙間から虫等が侵入するのを防止できる。
【００２６】
（ｇ）請求項７の発明によれば、後面パネルの周辺部にパネル補強用の補強片が設けられているので、肉薄の後面パネルが湾曲するのを防止できるばかりか、パネル固定具へ後面パネルを固定する際において、薄い後面パネルの取扱いが容易となる。
【図面の簡単な説明】
【図１】本発明の什器用通気パネルを収納キャビネットに取り付けた状態を示す斜視図である。
【図２】（ａ）本発明の前面パネルの正面図である。
（ｂ）本発明の前面パネルのＡ−Ａ断面図である。
【図３】（ａ）本発明の後面パネルの正面図である。
（ｂ）本発明の後面パネルのＢ−Ｂ断面図である。
（ｃ）本発明の後面パネルの部分拡大図である。
【図４】本発明の什器用通気パネルの一部を省略した製造工程を示す斜視図である。
【図５】（ａ）本発明の什器用通気パネルの正面図である。
（ｂ）本発明の什器用通気パネルのＣ−Ｃ断面図及び部分拡大断面図である。
【図６】（ａ）本発明の別の実施例の後面パネルの正面図である。
（ｂ）本発明の別の実施例の後面パネルのＤ−Ｄ断面図である。
【符号の説明】
１　　　　　　　　　前面パネル
２　　　　　　　　　通気穴
３　　　　　　　　　後面パネル
３’　　　　　　　　後面パネル
４　　　　　　　　　通気穴
５　　　　　　　　　パネル固定具
６　　　　　　　　　上枠
７　　　　　　　　　下枠
８　　　　　　　　　左枠
９　　　　　　　　　右枠
１０　　　　　　　　金具
１１　　　　　　　　溝
１２　　　　　　　　補強部
１３　　　　　　　　挿入穴
１４　　　　　　　　補強片
１５　　　　　　　　収納キャビネット
１６　　　　　　　　収納ケース
１７　　　　　　　　前面板
１９　　　　　　　　ガイドレール
２１　　　　　　　　生鮮食物（野菜類）
２２　　　　　　　　縁部
２３　　　　　　　　雌ネジ部
【図１】
2004113453.tif 000003
【図２】
2004113453.tif 000004
【図３】
2004113453.tif 000005
【図４】
2004113453.tif 000006
【図５】
2004113453.tif 000007
【図６】
2004113453.tif 000008